(57)【要約】第１筐体と、第２筐体と、第１筐体と第２筐体とを連結する連結部と、を備える携帯端末において、アンテナ感度の低下が低減される携帯端末を提供すること。第１筐体２と、第２筐体３と、連結部４と、第１筐体２に配置される第１回路部３２と、第１筐体２に配置される第１導電部３１と、第２筐体３に配置される第２導電部３３と、連結部４に配置される第３導電部３４と、第１導電部３１と第１筐体２の長さ方向に隣り合って第１筐体２に配置される第１電子部品６１と、を有し、第１導電部３１における第１の周波数ｆ１帯域の信号の経路長と第１電子部品６１における第１の周波数ｆ１帯域の信号の経路長との和により得られる第１長さＸ１は、第２導電部３３における第１の周波数ｆ１帯域の信号の経路長と第３導電部３４における第１の周波数ｆ１帯域の信号の経路長との和により得られる第２長さＸ２と略同一である。
2010123092.tif 000002
【特許請求の範囲】
【請求項１】
第１筐体と、
第２筐体と、
前記第１筐体と前記第２筐体とを連結する連結部と、
前記第１筐体に配置され、グランド部、給電部及び前記給電部に接続されて第１の周波数帯域の信号を処理する信号処理部を有する第１回路部と、
前記第１筐体に配置され、前記グランド部又は前記給電部のいずれか一方に接続される第１導電部と、
前記第２筐体に配置される第２導電部と、
前記連結部に配置され、前記第２導電部に接続されると共に、前記グランド部又は前記給電部のいずれか他方と接続される第３導電部と、
前記第１導電部に隣り合って前記第１筐体に配置され、前記第１導電部に高周波的に接続される第１電子部品と、を有し、
前記第１導電部における前記第１の周波数帯域の信号の経路長と前記第１電子部品における前記第１の周波数帯域の信号の経路長との和により得られる第１長さと、前記第２導電部における前記第１の周波数帯域の信号の経路長と前記第３導電部における前記第１の周波数帯域の信号の経路長との和により得られる第２長さとは、略同一である、ことを特徴とする携帯端末。
【請求項２】
前記第１導電部は、前記グランド部に接続され、
前記第３導電部は、前記給電部に接続され、
前記１長さは、前記第１導電部における前記グランド部との接点から前記第１電子部品までの前記第１の周波数帯域の信号の経路長であり、
前記第２長さは、前記第３導電部における前記給電部との接点から前記第２導電部までの前記第１の周波数帯域の信号の経路長である、ことを特徴とする請求項１に記載の携帯端末。
【請求項３】
前記第１導電部は、前記第１筐体の長さ方向に長く形成され、
前記第２導電部は、前記第２筐体の長さ方向に長く形成され、
前記第１電子部品は、前記第１筐体の長さ方向に直交する幅方向に長く形成されると共に、前記幅方向における一方の端部が前記第１導電部に接続される、ことを特徴とする請求項１に記載の携帯端末。
【請求項４】
前記第１電子部品は、第２の周波数帯域の信号に共振するアンテナ素子であり、
前記第１電子部品に接続され、前記第１電子部品により共振される前記第２の周波数帯域の信号を処理する第２回路部と、
前記第１導電部と前記第１電子部品との間に介在して配置され、前記第１の周波数帯域とは異なる周波数帯域の信号の通過を抑制する第１抑制部と、
前記第１電子部品と前記第２回路部との間に介在して配置され、前記第２の周波数帯域とは異なる周波数帯域の信号の通過を抑制する第２抑制部と、を備えることを特徴とする請求項１に記載の携帯端末。
【請求項５】
前記第２導電部と前記第２筐体の長さ方向に隣り合って前記第２筐体に配置され、前記第２導電部に高周波的に接続される第２電子部品と、
前記第１導電部と前記第１電子部品とを高周波的に接続する状態又は遮断する状態に選択可能に構成される第１選択部と、
前記第２導電部と前記第２電子部品とを高周波的に接続する状態又は遮断する状態に選択可能に構成される第２選択部と、
前記第１選択部の接続又は遮断、及び前記第２選択部の接続又は遮断を制御する制御部と、を備えることを特徴とする請求項１に記載の携帯端末。
【請求項６】
第１筐体と、
第２筐体と、
前記第１筐体と前記第２筐体とを連結する連結部と、
前記第１筐体に配置され、グランド部、給電部及び前記給電部に接続されて第１の周波数帯域の信号を処理する信号処理部を有する第１回路部と、
前記第１筐体に配置され、前記グランド部又は前記給電部のいずれか一方に接続される第１導電部と、
前記第２筐体に配置される第２導電部と、
前記連結部に配置され、前記第２導電部に接続されると共に、前記グランド部又は前記給電部のいずれか他方と接続される第３導電部と、
前記第１導電部と前記第１筐体の長さ方向に隣り合って前記第１筐体に配置され、前記第１導電部に高周波的に接続される第１電子部品と、
前記第２導電部と前記第２筐体の長さ方向に隣り合って前記第２筐体に配置され、前記第２導電部に高周波的に接続される第２電子部品と、を有し、
前記第１導電部における前記第１の周波数帯域の信号の経路長である第３長さと、前記第２導電部における前記第１の周波数帯域の信号の経路長と前記第３導電部における前記第１の周波数帯域の信号の経路長との和により得られる第４長さとは、略同一であり、
前記第３長さと前記第１電子部品の長さ方向に沿う方向における長さの和により得られる第５長さと、前記第４長さと前記第２電子部品の長さ方向に沿う方向における長さの和により得られる第６長さとは、略同一である、ことを特徴とする携帯端末。
【請求項７】
前記第１導電部は、前記グランド部に接続され、
前記第３導電部は、前記給電部に接続され、
前記第３長さは、前記第１導電部における前記グランド部との接点から前記第１導電部における前記第１電子部品との接点までの前記第１の周波数帯域の信号の経路長であり、
前記第４長さは、前記第３導電部における前記給電部との接点から前記第２導電部までの前記第１の周波数帯域の信号の経路長であり、
前記第５長さは、前記第１導電部における前記グランド部との接点から前記第１電子部品までの前記第１の周波数帯域の信号の経路長であり、
前記第６長さは、前記第３導電部における前記給電部との接点から前記第２電子部品までの前記第１の周波数帯域の信号の経路長である、ことを特徴とする請求項６に記載の携帯端末。
【請求項８】
前記第１導電部は、前記第１筐体の長さ方向に長く形成され、
前記第２導電部は、前記第２筐体の長さ方向に長く形成され、
前記第１電子部品は、前記第１筐体の長さ方向に直交する幅方向に長く形成されると共に、前記第１筐体の前記幅方向における一方の端部が前記第１導電部に接続され、
前記第２電子部品は、前記第２筐体の長さ方向に直交する幅方向に長く形成されると共に、前記第２筐体の前記幅方向における一方の端部が前記第２導電部に接続される、ことを特徴とする請求項６に記載の携帯端末。
【請求項９】
前記第１電子部品は、第２の周波数帯域の信号に共振するアンテナ素子であり、
前記第１電子部品に接続され、前記第１電子部品により共振される前記第２の周波数帯域の信号を処理する第２回路部と、
前記第１導電部と前記第１電子部品との間に介在して配置され、前記第１の周波数帯域とは異なる周波数帯域の信号の通過を抑制する第１抑制部と、
前記第１電子部品と前記第２回路部との間に介在して配置され、前記第２の周波数帯域とは異なる周波数帯域の信号の通過を抑制する第２抑制部と、を備えることを特徴とする請求項６に記載の携帯端末。
【請求項１０】
前記第１導電部と前記第１電子部品とを高周波的に接続する状態又は遮断する状態に選択可能に構成される第１選択部と、
前記第２導電部と前記第２電子部品とを高周波的に接続する状態又は遮断する状態に選択可能に構成される第２選択部と、
前記第１選択部の接続又は遮断、及び前記第２選択部の接続又は遮断を制御する制御部と、を備えることを特徴とする請求項６に記載の携帯端末。
【発明の詳細な説明】
【技術分野】
【０００１】
本発明は、携帯電話機等の携帯端末に関する。
【背景技術】
【０００２】
従来、携帯端末としての携帯電話機には、第１筐体、第２筐体、及び第１筐体と第２筐体とを連結する連結部を備え、使用態様に応じて連結部を介して開状態と閉状態とに移行可能に構成される折り畳み型のものが知られている。このような折り畳み型の携帯電話機では、アンテナを介して外部と通信を行う通信機能を有している。【０００３】
例えば、特許文献１には、第１筐体に配置された第１導電部又は第２筐体に配置された第２導電部のいずれか一方に給電し、いずれか他方をグランド（接地状態）にすることにより、第１導電部又は第２導電部のいずれか一方をアンテナとして利用できる携帯電話機が提案されている。
【先行技術文献】
【特許文献】
【０００４】
【特許文献１】特開２００７−１０４４６８号公報
【発明の概要】
【発明が解決しようとする課題】
【０００５】
しかしながら、特許文献１で提案された携帯電話機では、第１筐体と第２筐体との間に連結部が配置されている。そのため、連結部に配置された第３導電部もアンテナの一部又はグランドの一部として機能する。
このため、第１筐体の第１導電部の長さと第２筐体の第２導電部との長さが略同一である携帯電話機においては、例えば、第１筐体の第１導電部の長さと、第２筐体の第２導電部の長さと連結部の第３導電部の長さとの和により得られる長さとには、長さの差が生じる。この場合、グランドの電気的な長さとアンテナの電気的な長さのバランスが不均等となる。そのため、アンテナ感度の低下が生じてしまうという問題があった。【０００６】
本発明は、第１筐体と、第２筐体と、第１筐体と第２筐体とを連結する連結部と、を備える携帯端末において、アンテナ感度の低下が低減される携帯端末を提供することを目的とする。
【課題を解決するための手段】
【０００７】
本発明は、第１筐体と、第２筐体と、前記第１筐体と前記第２筐体とを連結する連結部と、前記第１筐体に配置され、グランド部、給電部及び前記給電部に接続されて第１の周波数帯域の信号を処理する信号処理部を有する第１回路部と、前記第１筐体に配置され、前記グランド部又は前記給電部のいずれか一方に接続される第１導電部と、前記第２筐体に配置される第２導電部と、前記連結部に配置され、前記第２導電部に接続されると共に、前記グランド部又は前記給電部のいずれか他方と接続される第３導電部と、前記第１導電部に隣り合って前記第１筐体に配置され、前記第１導電部に高周波的に接続される第１電子部品と、を有し、前記第１導電部における前記第１の周波数帯域の信号の経路長と前記第１電子部品における前記第１の周波数帯域の信号の経路長との和により得られる第１長さと、前記第２導電部における前記第１の周波数帯域の信号の経路長と前記第３導電部における前記第１の周波数帯域の信号の経路長との和により得られる第２長さとは、略同一である、ことを特徴とする携帯端末に関する。【０００８】
また、前記第１導電部は、前記グランド部に接続され、前記第３導電部は、前記給電部に接続され、前記１長さは、前記第１導電部における前記グランド部との接点から前記第１電子部品までの前記第１の周波数帯域の信号の経路長であり、前記第２長さは、前記第３導電部における前記給電部との接点から前記第２導電部までの前記第１の周波数帯域の信号の経路長である、ことが好ましい。【０００９】
また、前記第１導電部は、前記第１筐体の長さ方向に長く形成され、前記第２導電部は、前記第２筐体の長さ方向に長く形成され、前記第１電子部品は、前記第１筐体の長さ方向に直交する幅方向に長く形成されると共に、前記幅方向における一方の端部が前記第１導電部に接続される、ことが好ましい。【００１０】
また、前記第１電子部品は、第２の周波数帯域の信号に共振するアンテナ素子であり、前記第１電子部品に接続され、前記第１電子部品により共振される前記第２の周波数帯域の信号を処理する第２回路部と、前記第１導電部と前記第１電子部品との間に介在して配置され、前記第１の周波数帯域とは異なる周波数帯域の信号の通過を抑制する第１抑制部と、前記第１電子部品と前記第２回路部との間に介在して配置され、前記第２の周波数帯域とは異なる周波数帯域の信号の通過を抑制する第２抑制部と、を備えることが好ましい。【００１１】
また、携帯端末は、前記第２導電部と前記第２筐体の長さ方向に隣り合って前記第２筐体に配置され、前記第２導電部に高周波的に接続される第２電子部品と、前記第１導電部と前記第１電子部品とを高周波的に接続する状態又は遮断する状態に選択可能に構成される第１選択部と、前記第２導電部と前記第２電子部品とを高周波的に接続する状態又は遮断する状態に選択可能に構成される第２選択部と、前記第１選択部の接続又は遮断、及び前記第２選択部の接続又は遮断を制御する制御部と、を備えることが好ましい。【００１２】
また、本発明は、第１筐体と、第２筐体と、前記第１筐体と前記第２筐体とを連結する連結部と、前記第１筐体に配置され、グランド部、給電部及び前記給電部に接続されて第１の周波数帯域の信号を処理する信号処理部を有する第１回路部と、前記第１筐体に配置され、前記グランド部又は前記給電部のいずれか一方に接続される第１導電部と、前記第２筐体に配置される第２導電部と、前記連結部に配置され、前記第２導電部に接続されると共に、前記グランド部又は前記給電部のいずれか他方と接続される第３導電部と、前記第１導電部と前記第１筐体の長さ方向に隣り合って前記第１筐体に配置され、前記第１導電部に高周波的に接続される第１電子部品と、前記第２導電部と前記第２筐体の長さ方向に隣り合って前記第２筐体に配置され、前記第２導電部に高周波的に接続される第２電子部品と、を有し、前記第１導電部における前記第１の周波数帯域の信号の経路長である第３長さと、前記第２導電部における前記第１の周波数帯域の信号の経路長と前記第３導電部における前記第１の周波数帯域の信号の経路長との和により得られる第４長さとは、略同一であり、前記第３長さと前記第１電子部品の長さ方向に沿う方向における長さの和により得られる第５長さと、前記第４長さと前記第２電子部品の長さ方向に沿う方向における長さの和により得られる第６長さとは、略同一である、ことを特徴とする携帯端末に関する。【００１３】
また、前記第１導電部は、前記グランド部に接続され、前記第３導電部は、前記給電部に接続され、前記第３長さは、前記第１導電部における前記グランド部との接点から前記第１導電部における前記第１電子部品との接点までの前記第１の周波数帯域の信号の経路長であり、前記第４長さは、前記第３導電部における前記給電部との接点から前記第２導電部までの前記第１の周波数帯域の信号の経路長であり、前記第５長さは、前記第１導電部における前記グランド部との接点から前記第１電子部品までの前記第１の周波数帯域の信号の経路長であり、前記第６長さは、前記第３導電部における前記給電部との接点から前記第２電子部品までの前記第１の周波数帯域の信号の経路長である、ことが好ましい。【００１４】
また、前記第１導電部は、前記第１筐体の長さ方向に長く形成され、前記第２導電部は、前記第２筐体の長さ方向に長く形成され、前記第１電子部品は、前記第１筐体の長さ方向に直交する幅方向に長く形成されると共に、前記第１筐体の前記幅方向における一方の端部が前記第１導電部に接続され、前記第２電子部品は、前記第２筐体の長さ方向に直交する幅方向に長く形成されると共に、前記第２筐体の前記幅方向における一方の端部が前記第２導電部に接続される、ことが好ましい。【００１５】
また、前記第１電子部品は、第２の周波数帯域の信号に共振するアンテナ素子であり、前記第１電子部品に接続され、前記第１電子部品により共振される前記第２の周波数帯域の信号を処理する第２回路部と、前記第１導電部と前記第１電子部品との間に介在して配置され、前記第１の周波数帯域とは異なる周波数帯域の信号の通過を抑制する第１抑制部と、前記第１電子部品と前記第２回路部との間に介在して配置され、前記第２の周波数帯域とは異なる周波数帯域の信号の通過を抑制する第２抑制部と、を備えることが好ましい。【００１６】
また、携帯端末は、前記第１導電部と前記第１電子部品とを高周波的に接続する状態又は遮断する状態に選択可能に構成される第１選択部と、前記第２導電部と前記第２電子部品とを高周波的に接続する状態又は遮断する状態に選択可能に構成される第２選択部と、前記第１選択部の接続又は遮断、及び前記第２選択部の接続又は遮断を制御する制御部と、を備えることが好ましい。
【発明の効果】
【００１７】
本発明によれば、第１筐体と、第２筐体と、第１筐体と第２筐体とを連結する連結部と、を備える携帯端末において、アンテナ感度の低下が低減される携帯端末を提供することができる。
【図面の簡単な説明】
【００１８】
【図１】本発明の携帯電話機を開いた状態を示す外観斜視図である。
【図２】第１実施形態における携帯電話機の開状態を模式的に示す正面図である。
【図３】第１実施形態における第１抑制部及び第２抑制部の回路図である。
【図４】第１実施形態における第１抑制部の電気的特性を示す図である。
【図５】第１実施形態における第２抑制部の電気的特性を示す図である。
【図６】第２実施形態における携帯電話機の開状態を模式的に示す正面図である。
【図７】第２実施形態における携帯電話機の制御の構成を示すブロック図である。
【発明を実施するための形態】
【００１９】
以下、図面を参照して本発明の実施形態について説明する。
図１により、第１実施形態に係る携帯端末としての携帯電話機１における基本構造を説明する。図１は、携帯電話機１を開いた状態を示す外観斜視図である。
【００２０】
図１に示すように、携帯端末としての携帯電話機１は、略直方体形状の第１筐体としての操作部側筐体２と、略直方体形状の第２筐体としての表示部側筐体３とを備える。操作部側筐体２及び表示部側筐体３それぞれは、長さ方向Ａに長い形状である。
【００２１】
操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことで開閉状態を形成可能に構成される。
即ち、携帯電話機１は、連結部４を介して連結された操作部側筐体２と表示部側筐体３とを相対的に回転（回動）することにより、操作部側筐体２と表示部側筐体３とを互いに開いた状態である開状態にしたり、操作部側筐体２と表示部側筐体３とを折り畳んだ状態である閉状態にしたりできる。
【００２２】
操作部側筐体２は、その外面がフロントケース２ａとリアケース２ｂとにより構成される。操作部側筐体２は、フロントケース２ａ側に、操作キー群１１と、携帯電話機１の使用者が通話時に発した音声が入力される音声入力部としてのマイク１２とが、それぞれ露出する。
【００２３】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２４】
マイク１２は、操作部側筐体２の長手方向Ａにおける連結部４側とは反対の外端部（下端部）側に配置される。つまり、マイク１２は、携帯電話機１の開状態において一方の外端部側に配置される。
【００２５】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。各インターフェースは、不使用時にはキャップにより覆われる。
【００２６】
表示部側筐体３は、その外面がフロントケース３ａとリアケース３ｂとにより構成される。表示部側筐体３におけるフロントケース３ａには、各種情報を表示するための表示部２１と、通話の相手側の音声を出力するレシーバ２２とが、それぞれ露出して配置される。ここで、表示部２１は、液晶パネル、この液晶パネルを駆動する駆動回路、この液晶パネルの背面側から光を照射するバックライト等の光源部等から構成される。
【００２７】
次いで、図２から図５により、操作部側筐体２及び表示部側筐体３の内部構造について説明する。図２は、第１実施形態における携帯電話機の開状態を模式的に示す正面図である。図３は、第１実施形態における第１抑制部及び第２抑制部の回路図である。図４は、第１実施形態における第１抑制部の電気的特性を示す図である。図５は、第１実施形態における第２抑制部の電気的特性を示す図である。
なお、図２においては、操作部側筐体２の内部の構成部材については、第１導電部３１、第１回路部３２、第２回路部４１、第１電子部品としてのアンテナ素子６１等のみを示している。また、表示部側筐体３の内部の構成部材については、第２導電部３３のみを示している。また、連結部４の内部構成部材については、第３導電部３４のみを示している。但し、図２は、操作部側筐体２、表示部側筐体３及び連結部４のそれぞれの内部構造を限定するものではない。
また、図２においては、仮想的に、第１導電部３１、第２導電部３３、第３導電部３４、アンテナ素子６１、第１回路部３２、第２回路部４１等のうちのいずれか同士を接続線で接続することにより接続状態を示している。本実施形態においては、図２に示す接続線は、各部の接続状態を説明するためのものであり、後述する信号の経路長には説明の便宜上含まないものとする。
【００２８】
図２に示すように、操作部側筐体２は、その内部に、詳細にはフロントケース２ａとリアケース２ｂとの間に、第１導電部３１と、第１回路部３２と、アンテナ素子６１と、第２回路部４１と、第１抑制部４２と、第２抑制部４３と、を備える。本実施形態では、第１導電部３１、第２回路部４１、第１抑制部４２及び第２抑制部４３は、それぞれ、回路基板５０に配置される。
【００２９】
第１導電部３１は、回路基板５０に形成されたグランドパターンである。第１導電部３１は、操作部側筐体２の長さ方向Ａに長く形成される。
第１回路部３２は、グランド部３５と、給電部３６と、グランド部３５及び給電部３６に接続される信号処理部３７とを備える。
【００３０】
グランド部３５は、第１導電部３１における長さ方向Ａの連結部４側の端部に接続されている。これにより、グランド部３５は、第１導電部３１に高周波的に接続されている。給電部３６は、連結部４に配置された第３導電部３４に高周波的に接続されている。そして、グランド部３５と給電部３６とは、第１回路部３２において互いに近接して配置されている。また、第３導電部３４は、表示部側筐体３に配置された第２導電部３３に高周波的に接続されている。つまり、給電部３６は、第２導電部３３及び第３導電部３４に給電可能に接続される。給電部３６は、信号処理部３７に接続される。信号処理部３７は、給電部３６に接続されて第１の周波数ｆ１帯域の信号の処理を行う。また、信号処理部３７は、ＲＦ回路を含んだ無線回路、整合回路、制御回路等によって構成されている。
【００３１】
アンテナ素子６１は、操作部側筐体２における連結部４とは反対の端部側（図２に示す下端部）に配置される。このアンテナ素子６１は、操作部側筐体２の長さ方向Ａにおいて第１導電部３１と隣り合って配置されている。
【００３２】
アンテナ素子６１は、導電性材料によって形成される。アンテナ素子６１は、平面視で矩形となるように形成されており、操作部側筐体２の長さ方向Ａに直交する方向Ｂに長く形成される。ここで、操作部側筐体２の長さ方向Ａに直交する方向とは、操作部側筐体２の幅方向Ｂ（図２に示す左右方向）である。また、操作部側筐体２の幅方向Ｂは、アンテナ素子６１の長さ方向に一致する。このように、アンテナ素子６１は、アンテナ素子６１の長さ方向が操作部側筐体２の幅方向Ｂに沿って配置される。
【００３３】
アンテナ素子６１は、長さ方向（操作部側筐体２の幅方向Ｂ）の一方の端部が第１導電部３１に高周波的に接続される。また、アンテナ素子６１は、第２の周波数ｆ２帯域の信号に共振するアンテナ素子として構成され、アンテナの放射素子として機能する。なお、第２の周波数ｆ２帯域については後述する。
【００３４】
第２回路部４１は、アンテナ素子６１に高周波的に接続される。第２回路部４１は、アンテナ素子６１により共振される第２の周波数ｆ２帯域の信号を処理する。
【００３５】
第１抑制部４２は、第１導電部３１とアンテナ素子６１との間に介在して配置される。第１導電部３１及びアンテナ素子６１は、第１抑制部４２を介して高周波的に接続される。第１抑制部４２は、第１の周波数ｆ１帯域とは異なる周波数帯域の信号を抑制する。つまり、第１抑制部４２は、第１の周波数ｆ１帯域の信号のみを通過させ、その他の周波数帯域の信号の通過を低減する。第１抑制部４２は、第１の周波数ｆ１帯域を共振周波数とするように構成される。
【００３６】
図３に示すように、第１抑制部４２は、第１コンデンサＣ１と第１コイルＬ１とにより構成される。第１の周波数（共振周波数）ｆ１は、（１）式により決定され、インピーダンスＺ１は、（２）式によって求められる。
ｆ１＝１／２π√（Ｌ１Ｃ１）・・・（１）
Ｚ１＝ｊωＬ１＋１／（ｊωＣ１）・・・（２）
ここで、ω＝２πｆ１である。
【００３７】
第１抑制部４２は、図４に示すように、共振周波数を第１の周波数ｆ１帯域とするインピーダンスＺ１のグラフにより得られる特性を有する。第１抑制部４２は、第１の周波数ｆ１帯域においてインピーダンスＺ１が０Ωである。また、第１抑制部４２は、他の周波数帯域においては、インピーダンスＺ１は誘導性インピーダンス又は容量性インピーダンスとなる。そのため、第１抑制部４２は、第１の周波数ｆ１帯域の信号を通過させ、その他の周波数帯域の信号の通過を低減するバンドパスフィルタとして機能する。例えば、第１抑制部４２は、第１の周波数ｆ１帯域として８００ＭＨｚ帯の信号を利用するＣＤＭＡ（ＣｏｄｅＤｉｖｉｓｉｏｎ  Ｍｕｌｔｉｐｌｅ  Ａｃｃｅｓｓ）通信の場合、第１の周波数ｆ１帯域としての８００ＭＨｚ帯においてインピーダンスＺ１を０Ωとするような第１コンデンサＣ１及び第１コイルＬ１により構成される。
【００３８】
第１抑制部４２は、第１導電部３１とアンテナ素子６１との間に介在して配置される。また、第１抑制部４２は、第１の周波数ｆ１帯域においてインピーダンスＺ１が０Ωとなる。そのため、第１抑制部４２は、第１の周波数ｆ１帯域の信号を通過させ、その他の周波数帯域の信号の通過を低減する。これにより、第１抑制部４２は、第１の周波数ｆ１帯域においてアンテナ素子６１が第１導電部３１に接続される。このように、アンテナ素子６１は、グランドパターンとしての第１導電部３１を介して第１回路部３２のグランド部３５に接続される。
【００３９】
また、第２抑制部４３は、アンテナ素子６１と第２回路部４１との間に介在して配置される。アンテナ素子６１及び第２回路部４１は、第２抑制部４３を介して高周波的に接続される。第２抑制部４３は、第２の周波数ｆ２帯域とは異なる周波数帯域の信号の通過を抑制する。つまり、第２抑制部４３は、第２の周波数ｆ２帯域の信号を通過させ、その他の周波数帯域の信号の通過を低減する。第２抑制部４３は、第２の周波数ｆ２を共振周波数とするように構成される。
【００４０】
具体的には、図３に示すように、第２抑制部４３は、第２コンデンサＣ２と第２コイルＬ２とにより構成され、第２の周波数（共振周波数）ｆ２は、（３）式によって決定される。
ｆ２＝１／２π√（Ｌ２Ｃ２）・・・（３）
また、インピーダンスＺ２は、（４）式によって求められる。
Ｚ２＝ｊωＬ２+１／（ｊωＣ２）・・・（４）
ここで、ω＝２πｆ２である。
【００４１】
そのため、図５に示すように、第２抑制部４３は、共振周波数を第２の周波数ｆ２とするインピーダンスＺ２のグラフにより得られる特性を有する。つまり、第２抑制部４３は、第２の周波数ｆ２帯域においてインピーダンスＺ２が０（ゼロ）Ωである。また、第２抑制部４３は、他の周波数帯域においては、インピーダンスＺ２は誘導性インピーダンス又は容量性インピーダンスとなる。そのため、第２抑制部４３は、第２の周波数ｆ２帯域の信号を通過させ、その他の周波数帯域の信号の通過を低減するバンドパスフィルタとして機能する。例えば、第２抑制部４３は、第２の周波数ｆ２帯域として１５７５ＭＨｚ帯の信号を利用するＧＰＳ（Ｇｌｏｂａｌ  Ｐｏｓｉｔｉｏｎｉｎｇ  Ｓｙｓｔｅｍ）通信の場合、第２の周波数ｆ２帯域としての１５７５ＭＨｚ帯においてインピーダンスＺ２を０Ωとするような第２コンデンサＣ２及び第２コイルＬ２により構成される。
【００４２】
図２から図５に示すように、第２抑制部４３は、アンテナ素子６１と第２回路部４１との間に介在して配置される。また、第２抑制部４３は、第２の周波数ｆ２帯域においてインピーダンスＺ２が０Ωとなる。そのため、第２抑制部４３は、第２の周波数ｆ２帯域の信号を通過させ、その他の周波数帯域の信号の通過を低減する。これにより、第２抑制部４３は、第２の周波数ｆ２帯域においてアンテナ素子６１が第２回路部４１に高周波的に接続される。
【００４３】
また、図２に示すように、第２導電部３３は、表示部側筐体３の内部に配置された回路基板上に形成されたグランドパターンである。第２導電部３３は、表示部側筐体３の長さ方向Ａに長く形成される。
また、第３導電部３４は、連結部４の内部に配置された導電部により構成される。第３導電部３４は、表示部側筐体３の長さ方向Ａに長く形成される。第３導電部３４は、連結部４における表示部側筐体３の長さ方向Ａに直交する方向Ｂの一方の端部側に、表示部側筐体３の長さ方向Ａに沿って配置される。第３導電部３４における表示部側筐体３側の端部は、第２導電部３３の長さ方向Ａの端部に接続される。第３導電部３４における操作部側筐体２側の端部は、第１回路部３２の給電部３６に接続される。これにより、第３導電部３４は、第２導電部３３に高周波的に接続されると共に、第１回路部３２の給電部３６に高周波的に接続される。
【００４４】
以上の第１実施形態における携帯電話機１では、第１導電部３１における操作部側筐体２の長さ方向Ａにおける長さＸ１ａ（第１の周波数ｆ１帯域の信号の経路長）と、アンテナ素子６１における長さ方向（操作部側筐体２の幅方向Ｂ）における長さＸ１ｂ（第１の周波数ｆ１帯域の信号の経路長）との和によって得られる第１長さＸ１（Ｘ１ａ＋Ｘ１ｂ）は、第２導電部３３における表示部側筐体３の長さ方向Ａにおける長さＸ２ａ（第１の周波数ｆ１帯域の信号の経路長）と、第３導電部３４の表示部側筐体３の長さ方向Ａにおける長さＸ２ｂ（第１の周波数ｆ１帯域の信号の経路長）との和によって得られる第２長さＸ２（Ｘ２ａ＋Ｘ２ｂ）と略等しく（Ｘ１＝Ｘ２）なっている（図２参照）。
【００４５】
ここで、第１長さＸ１（Ｘ１ａ＋Ｘ１ｂ）について詳述する。
図２に示すように、第１導電部３１における操作部側筐体２の長さ方向Ａにおける長さＸ１ａ（第１の周波数ｆ１帯域の信号の経路長）は、第１導電部３１における操作部側筐体２の長さ方向Ａに沿う経路長であって、第１導電部３１における連結部４側の端部から連結部４とは反対側の端部までの第１の周波数ｆ１帯域の信号の経路長ある。また、アンテナ素子６１における長さ方向（操作部側筐体２の幅方向Ｂ）における長さＸ１ｂ（第１の周波数ｆ１帯域の信号の経路長）は、アンテナ素子６１における長さ方向（操作部側筐体２の幅方向Ｂ）に沿う経路長であって、アンテナ素子６１における一方の端部から他方の端部までの第１の周波数ｆ１帯域の信号の経路長である。
つまり、第１長さＸ１（Ｘ１ａ＋Ｘ１ｂ）は、第１導電部３１におけるグランド部３５との接点からアンテナ素子６１までの第１の周波数ｆ１帯域の信号の経路長である。
【００４６】
また、第２長さＸ２（Ｘ２ａ＋Ｘ２ｂ）について詳述する。
第２導電部３３における表示部側筐体３の長さ方向Ａにおける長さＸ２ａ（第１の周波数ｆ１帯域の信号の経路長）は、第２導電部３３における表示部側筐体３の長さ方向Ａに沿う経路長であって、第２導電部３３における連結部４側の端部から連結部４とは反対側の端部までの第１の周波数ｆ１帯域の信号の経路長ある。また、第３導電部３４の表示部側筐体３の長さ方向Ａにおける長さＸ２ｂ（第１の周波数ｆ１帯域の信号の経路長）は、第３導電部３４における表示部側筐体３の長さ方向Ａに沿う経路長であって、第３導電部３４における表示部側筐体３側の端部から操作部側筐体２側の端部までの第１の周波数ｆ１帯域の信号の経路長である。
つまり、第２長さＸ２（Ｘ２ａ＋Ｘ２ｂ）は、第３導電部３４における給電部３６との接点から第２導電部３３までの第１の周波数ｆ１帯域の信号の経路長である。
【００４７】
また、表示部側筐体３における第２導電部３３及び連結部４における第３導電部３４は、給電部３６に電気的に接続されている。そのため、第２導電部３３及び連結部４は、アンテナの放射素子として機能する。操作部側筐体２における第１導電部３１及びアンテナ素子６１は、グランド部３５に電気的に接続されている。これにより、第１導電部３１及びアンテナ素子６１は、アンテナのグランド部として機能する。このため、表示部側筐体３、操作部側筐体２及び連結部４の全体は、１個のアンテナ（例えば、ダイポールアンテナ）を構成する。
【００４８】
ここで、第１実施形態の携帯電話機１における作用を説明する。
まず、図２から図５により、第１の周波数ｆ１帯域の信号が携帯電話機１に入力された場合について説明する。
図２から図５に示すように、第１の周波数ｆ１帯域の信号が携帯電話機１に入力された場合、第１抑制部４２は、第１の周波数ｆ１帯域の信号を通過させる。つまり、第１導電部３１とアンテナ素子６１とは、高周波的に接続される。従って、第１導電部３１がグランド部３５に電気的に接続されているため、第１導電部３１及びアンテナ素子６１は、アンテナのグランド部として機能する。また、第２導電部３３及び第３導電部３４は、アンテナの放射素子として機能する。一方、第２抑制部４３は、第２の周波数ｆ２とは異なる周波数帯域の信号の通過を低減する。そのため、第２抑制部４３は、第１の周波数ｆ１帯域の信号の通過を低減する。つまり、アンテナ素子６１と第２回路部４１とは、第１の周波数ｆ１帯域においては、高周波的に接続されにくくなる。
そして、第１回路部３２の信号処理部３７は、給電部３６から供給された第１の周波数ｆ１帯域の信号に対して所定の処理を行う。
このように、表示部側筐体３及び操作部側筐体２の全体は、１個のアンテナ（例えば、ダイポールアンテナ）を構成する。
【００４９】
次に、第２の周波数ｆ２帯域の信号が携帯電話機１に入力された場合について説明する。
図２から図５に示すように、第２の周波数ｆ２帯域の信号が携帯電話機１に入力された場合、第１抑制部４２は、第１の周波数ｆ１とは異なる周波数帯域の信号の通過を低減する。そのため、第１抑制部４２は、第２の周波数ｆ２帯域の信号の通過を低減する。つまり、第２の周波数ｆ２帯域においては、アンテナ素子６１と第１抑制部４２に接続されたグランドとは、高周波的に接続されにくくなる。従って、アンテナ素子６１が第２回路部４１に接続されているため、アンテナ素子６１は、アンテナの放射素子として機能する。一方、第２抑制部４３は、第２の周波数ｆ２帯域の信号を通過させる。つまり、第２の周波数ｆ２帯域においては、アンテナ素子６１と第２回路部４１とは、高周波的に接続される。
そして、アンテナ素子６１に接続された第２回路部４１は、アンテナ素子６１により共振される第２の周波数ｆ２帯域の信号に対して所定の処理を行う。
このように、アンテナ素子６１によりアンテナが構成される。
【００５０】
以上説明した第１実施形態の携帯電話機１によれば、以下のような効果を奏する。
携帯電話機１は、操作部側筐体２の第１導電部３１とアンテナ素子６１とが第１回路部３２のグランド部３５に接続され、表示部側筐体３の第２導電部３３及び連結部４の第３導電部３４が給電部３６に高周波的に接続される。そのため、操作部側筐体２、表示部側筐体３及び連結部４の全体は、アンテナ（例えば、ダイポールアンテナ）を構成する。これにより、携帯電話機１のアンテナ感度を向上させることができる。
【００５１】
また、携帯電話機１は、第１回路部３２及びアンテナ素子６１が操作部側筐体２に配置される構成である。そのため、アンテナの放射素子として機能する長さとアンテナのグランド部として機能する長さとのバランスを良好にできる。これにより、携帯電話機１のアンテナ感度を向上させることができる。
【００５２】
また、第１導電部３１における操作部側筐体２の長さ方向Ａにおける長さＸ１ａと、アンテナ素子６１における長さ方向（操作部側筐体２の幅方向Ｂ）における長さＸ１ｂとの和によって得られる第１長さＸ１（Ｘ１ａ＋Ｘ１ｂ）は、第２導電部３３における表示部側筐体３の長さ方向Ａにおける長さＸ２ａと、第３導電部３４の表示部側筐体３の長さ方向Ａにおける長さＸ２ｂとの和によって得られる第２長さＸ２（Ｘ２ａ＋Ｘ２ｂ）と略等しく（Ｘ１＝Ｘ２）構成される。これにより、アンテナの放射素子として機能する長さとアンテナのグランド部として機能する長さは、略等しい。従って、操作部側筐体２、表示部側筐体３及び連結部４の全体によって構成されるアンテナ（例えば、ダイポールアンテナ）のアンテナ感度を向上させることができる。
【００５３】
また、携帯電話機１は、第１抑制部４２と、第２抑制部４３と、を備える。そのため、操作部側筐体２、表示部側筐体３及び連結部４の全体によって構成されるアンテナであってアンテナ素子６１を構成要素の一部とするアンテナを使用する場合や、そのアンテナ素子６１をアンテナとして使用する場合において、異なる周波数帯域の信号を、それぞれ対応する周波数帯域のアンテナとして機能させることができる。具体的には、アンテナ素子６１を共用して複数の周波数に対応したアンテナとして使用する場合、第１抑制部４２及び第２抑制部４３により、操作部側筐体２、表示部側筐体３及び連結部４の全体によって構成されるアンテナ（例えば、ダイポールアンテナ）として機能させたり、アンテナ素子をアンテナ放射素子として機能させるアンテナ（例えば、ＧＰＳアンテナ）として機能させることができる。第１抑制部４２及び第２抑制部４３は、携帯電話機１のいわゆるマルチバンド化に寄与する。
【００５４】
次に、図６及び図７により、第２実施形態に係る携帯電話機１について説明する。図６は、第２実施形態における携帯電話機の開状態を模式的に示す正面図である。図７は、第２実施形態における携帯電話機の制御の構成を示すブロック図である。図７においては、仮想的に、操作部側筐体２の内部の構成部材については、第１導電部３１、第１回路部３２、アンテナ素子６１、第１選択部５１等のみを示している。また、表示部側筐体３の内部の構成部材については、第２導電部３３、第２選択部５２、レシーバ２２等のみを示している。また、連結部４の内部構造については、第３導電部３４のみを示している。但し、図６及び図７は、操作部側筐体２、表示部側筐体３及び連結部４のそれぞれの内部構造を限定するものではない。
また、図６においては、仮想的に、第１導電部３１、第２導電部３３、第３導電部３４、アンテナ素子６１、レシーバ２２、第１回路部３２、第２回路部４１等のうちのいずれか同士を接続線で接続することにより接続状態を示している。本実施形態においては、図６に示す接続線は、各部の接続状態を説明するためのものであり、後述する信号の経路長には説明の便宜上含まないものとする。
【００５５】
第２実施形態における携帯電話機１は、第２電子部品としてのレシーバ２２、第１選択部５１及び第２選択部５２を備える点、第１導電部３１、第２導電部３３及び第３導電部３４の各長さの割合の点を除いて第１実施形態における携帯電話機１と同様の構成を有する。従って、第２実施形態については、レシーバ２２、第１選択部５１、第２選択部５２、第１導電部３１、第２導電部３３及び第３導電部３４の各長さの割合を中心に説明し、他の構成要素の説明は省略する。
【００５６】
図６及び図７に示すように、携帯電話機１は、レシーバ２２と、第１選択部５１と、第２選択部５２と、制御部５５を備える。なお、制御部５５は、信号処理部３７に含まれる。
【００５７】
レシーバ２２及び第２選択部５２は、表示部側筐体３の内部に配置される。第２選択部５２は、回路基板に配置される。第１選択部５１は、操作部側筐体２の内部の回路基板５０に配置される。
【００５８】
レシーバ２２は、表示部側筐体３における連結部４と反対の端部側（図６に示す上側）に配置される。レシーバ２２は、表示部側筐体３の長さ方向Ａにおいて、第２導電部３３と隣り合って配置される。
【００５９】
レシーバ２２は、金属製の導電性材料によって形成される。レシーバ２２は、平面視で略楕円形状に形成されている。また、レシーバ２２は、表示部側筐体３の長さ方向Ａに直交する方向Ｂに長く形成される。ここで、表示部側筐体３の長さ方向Ａに直交する方向Ｂとは、表示部側筐体３の幅方向Ｂ（図６に示す左右方向）である。また、表示部側筐体３の幅方向Ｂは、レシーバ２２の長さ方向に一致する。このように、レシーバ２２は、レシーバ２２の長さ方向が表示部側筐体３の幅方向Ｂに沿って配置される。
また、レシーバ２２は、レシーバ２２の長さ方向（表示部側筐体３の幅方向Ｂ）における一方の端部が第２導電部３３に高周波的に接続される。
【００６０】
第１選択部５１は、第１導電部３１とアンテナ素子６１とが高周波的に接続された状態又は遮断された状態に選択的に変更させる。第２選択部５２は、第２導電部３３とレシーバ２２とが高周波的に接続された状態又は遮断された状態に選択的に変更させる。
【００６１】
図７に示すように、制御部５５は、第１選択部５１の接続又は遮断を制御すると共に、第２選択部５２の接続又は遮断を制御する。
ここで、図６及び図７により、制御部５５による第１選択部５１及び第２選択部５２の制御について説明する。
図７に示すように、制御部５５は、第１選択部５１及び第２選択部５２のいずれも遮断する状態を選択する第１状態と、第１選択部５１及び第２選択部５２のいずれも接続する状態を選択する第２状態と、に切り替えることができる。
【００６２】
制御部５５により第１状態に切り替えた状態において、第１導電部３１がアンテナのグランド部として機能する。また、第２導電部３３及び第３導電部３４は、一体としてアンテナの放射素子として機能する。
この場合、第１導電部３１における操作部側筐体２の長さ方向Ａにおける第３長さＸ３（第１の周波数ｆ１帯域の信号の経路長）は、第２導電部３３における表示部側筐体３の長さ方向Ａにおける長さＸ４ａ（第１の周波数ｆ１帯域の信号の経路長）と第３導電部３４における表示部側筐体３の長さ方向Ａにおける長さＸ４ｂ（第１の周波数ｆ１帯域の信号の経路長）との和により得られる第４長さＸ４（Ｘ４ａ＋Ｘ４ｂ）と略等しく（Ｘ３＝Ｘ４）なっている。そのため、アンテナの放射素子として機能する第２導電部３３の長さＸ４ａ及び第３導電部３４の長さＸ４ｂの和により得られる第４長さＸ４と、アンテナのグランド部として機能する第１導電部３１の第３長さＸ３と、は、略等しい。
【００６３】
ここで、第３長さＸ３について詳述する。
図６に示すように、第１導電部３１における操作部側筐体２の長さ方向Ａにおける第３長さＸ３（第１の周波数ｆ１帯域の信号の経路長）は、第１導電部３１における操作部側筐体２の長さ方向Ａに沿う経路長であって、第１導電部３１における連結部４側の端部から連結部４とは反対側の端部までの第１の周波数ｆ１帯域の信号の経路長ある。
つまり、第３長さＸ３は、第１導電部３１におけるグランド部３５との接点から第１導電部３１におけるアンテナ素子６１との接点までの第１の周波数ｆ１帯域の信号の経路長である。
【００６４】
また、第４長さＸ４（Ｘ４ａ＋Ｘ４ｂ）について詳述する。
第２導電部３３における表示部側筐体３の長さ方向Ａにおける長さＸ４ａ（第１の周波数ｆ１帯域の信号の経路長）は、第２導電部３３における表示部側筐体３の長さ方向Ａに沿う経路長であって、第２導電部３３における連結部４側の端部から連結部４とは反対側の端部までの第１の周波数ｆ１帯域の信号の経路長ある。また、第３導電部３４における表示部側筐体３の長さ方向Ａにおける長さＸ４ｂ（第１の周波数ｆ１帯域の信号の経路長）は、第３導電部３４における表示部側筐体３の長さ方向Ａに沿う経路長であって、第３導電部３４における表示部側筐体３側の端部から操作部側筐体２側の端部までの第１の周波数ｆ１帯域の信号の経路長である。
つまり、第４長さＸ４（Ｘ４ａ＋Ｘ４ｂ）は、第３導電部３４における給電部３６との接点から第２導電部３３までの第１の周波数ｆ１帯域の信号の経路長である。
【００６５】
また、制御部５５により第２状態に切り替えた状態においては、第１導電部３１及びアンテナ素子６１は、一体としてアンテナのグランド部として機能する。、また、レシーバ２２、第２導電部３３及び第３導電部３４は、一体としてアンテナの放射素子として機能する。
この場合、第３長さＸ３（Ｘ５ａ（第１の周波数ｆ１帯域の信号の経路長））とアンテナ素子６１の長さ方向（操作部側筐体２の幅方向Ｂ）における長さＸ５ｂ（第１の周波数ｆ１帯域の信号の経路長）の和により得られる第５長さＸ５（Ｘ３＋Ｘ５ｂ）は、第４長さＸ４（Ｘ６ａ（第１の周波数ｆ１帯域の信号の経路長））とレシーバ２２の長さ方向（表示部側筐体３の幅方向Ｂ）における長さＸ６ｂ（第１の周波数ｆ１帯域の信号の経路長）の和により得られる第６長さＸ６と略等しく（Ｘ５＝Ｘ６）なるように接続される。そのため、アンテナの放射素子として機能する第４長さＸ４とレシーバ２２の長さＸ６ｂの和により得られる第６長さＸ６（Ｘ４＋Ｘ６ｂ）と、アンテナのグランド部として機能する第３長さＸ３とアンテナ素子６１の長さＸ５ｂの和により得られる第５長さＸ５と、は、略等しい。
【００６６】
ここで、第５長さＸ５（Ｘ３＋Ｘ５ｂ）について詳述する。
第３長さＸ３は、前述の通り、グランド部３５から第１導電部３１までの第１の周波数ｆ１帯域の信号の経路長である。また、アンテナ素子６１の長さ方向（操作部側筐体２の幅方向Ｂ）における長さＸ５ｂ（第１の周波数ｆ１帯域の信号の経路長）は、アンテナ素子６１における長さ方向（操作部側筐体２の幅方向Ｂ）に沿う経路長であって、アンテナ素子６１における一方の端部から他方の端部までの第１の周波数ｆ１帯域の信号の経路長である。
つまり、第５長さＸ５（Ｘ３＋Ｘ５ｂ）は、第１導電部３１におけるグランド部３５との接点からアンテナ素子６１までの第１の周波数ｆ１帯域の信号の経路長である。
【００６７】
また、第６長さＸ６（Ｘ４＋Ｘ６ｂ）について詳述する。
第４長さＸ４は、前述の通り、給電部３６から第３導電部３４を介して第２導電部３３までの第１の周波数ｆ１帯域の信号の経路長である。また、レシーバ２２の長さ方向（表示部側筐体３の幅方向Ｂ）における長さＸ６ｂ（第１の周波数ｆ１帯域の信号の経路長）は、レシーバ２２における長さ方向（表示部側筐体３の幅方向Ｂ）に沿う経路長であって、レシーバ２２における一方の端部から他方の端部までの第１の周波数ｆ１帯域の信号の経路長である。
つまり、第６長さＸ６（Ｘ４＋Ｘ６ｂ）は、第３導電部３４における給電部３６との接点からレシーバ２２までの第１の周波数ｆ１帯域の信号の経路長である。
【００６８】
以上説明した第２実施形態の携帯電話機１によれば、以下のような効果を奏する。
制御部５５により第１選択部５１及び第２選択部５２が制御される。制御部５５は、第１導電部３１における操作部側筐体２の長さ方向Ａにおける第３長さＸ３は、第２導電部３３における表示部側筐体３の長さ方向Ａにおける長さＸ４ａと第３導電部３４における表示部側筐体３の長さ方向Ａにおける長さＸ４ｂとの和により得られる第４長さＸ４と略等しく（Ｘ３＝Ｘ４）なるように接続される状態と、第３長さＸ３（Ｘ５ａ）とアンテナ素子６１の長さ方向（操作部側筐体２の幅方向Ｂ）における長さＸ５ｂの和により得られる第５長さＸ５は、第４長さＸ４（Ｘ６ａ）とレシーバ２２の長さ方向（表示部側筐体３の幅方向Ｂ）における長さＸ６ｂの和により得られる第６長さＸ６と略等しく（Ｘ５＝Ｘ６）なるように接続される状態と、に切り替えることができるように構成される。
【００６９】
そのため、第５長さＸ５と第６長さＸ６とが略等しい（Ｘ５＝Ｘ６）場合又は第３長さＸ３と第４長さＸ４とが略等しい（Ｘ３＝Ｘ４）場合のどちらに切り替えた場合おいても、アンテナの放射素子として機能する部分の長さとアンテナのグランド部として機能する部分の長さが略等しい。そのため、操作部側筐体２及び表示部側筐体３の全体によって構成されるアンテナ（例えば、ダイポールアンテナ）のアンテナ感度を向上させることができる。
【００７０】
また、第３長さＸ３及び第４長さＸ４（Ｘ３＝Ｘ４）よりも第５長さＸ５及び第６長さＸ６（Ｘ５＝Ｘ６）は、長く構成される（Ｘ３＝Ｘ４＜Ｘ５＝Ｘ６）。そのため、第３長さＸ３及び第４長さＸ４で使用される周波数だけでなく、第５長さＸ５及び第６長さＸ６で使用される周波数に対応することができる。具体的には、第３長さＸ３及び第４長さＸ４よりも第５長さＸ５及び第６長さＸ６が長く構成される場合（Ｘ３＝Ｘ４＜Ｘ５＝Ｘ６）、第５長さＸ５及び第６長さＸ６は、第３長さＸ３及び第４長さＸ４が対応する周波数よりも低い周波数に対応するアンテナの放射素子として機能する長さとなる。従って、制御部５５により第１選択部５１及び第２選択部５２を制御するだけで、異なる周波数帯域に対応できる携帯電話機１とすることができる。
【００７１】
以上、好適な実施形態について説明したが、本発明は上述した実施形態に制限されることなく種々の形態で実施することができる。
例えば、本実施形態では、第１導電部３１が第１回路部３２のグランド部３５に接続され、第３導電部３４が第１回路部３２の給電部３６に接続される構成としているが、第１導電部３１が第１回路部３２の給電部３６に接続され、第３導電部３４が第１回路部３２のグランド部３５に接続される構成であってもよい。
【００７２】
また、本実施形態では、第２導電部３３と接続される第２電子部品としてレシーバ２２を用いたが、これに限定されない。即ち、電子部品として、マイク、ＩｒＤＡ（Ｉｎｆｒａｒｅｄ  Ｄａｔａ  Ａｓｓｏｃｉａｔｉｎ）、カメラ、外部コネクタ等を用いてもよい。
【００７３】
また、本実施形態では、第１導電部３１及び第２導電部３３を、回路基板により構成したが、これに限定されない。即ち、第１導電部３１及び第２導電部３３を、シールドケース等によって構成してもよい。また、第１の周波数ｆ１帯域又は第２の周波数ｆ２帯域の信号の経路長は、給電部３６又はグランド部３５と導電部との接点の位置や、導電部の形状等により適宜変化するものであり、本実施形態は、本発明の一態様を示しているにすぎない。すなわち、給電部３６又はグランド部３５と導電部との接点や、導電部の形状等を設計に応じて変化させることにより、第１の周波数ｆ１帯域又は第２の周波数ｆ２帯域の信号の経路長を適宜変化させることができる。
【００７４】
本実施形態の携帯電話機１は、第１の周波数ｆ１帯域をＣＤＭＡ（ＣｏｄｅＤｉｖｉｓｉｏｎ  Ｍｕｌｔｉｐｌｅ  Ａｃｃｅｓｓ）通信に利用される周波数帯域の信号、第２の周波数ｆ２帯域をＧＰＳ（Ｇｌｏｂａｌ  Ｐｏｓｉｔｉｏｎｉｎｇ  Ｓｙｓｔｅｍ）通信に利用される周波数帯域の信号としているが、これに限定されない。例えば、地上波デジタル放送の信号、無線ＬＡＮによる信号、ＲＦＩＤによる信号等に対応できる。
【００７５】
また、本実施形態では、本発明を携帯端末としての携帯電話機１に適用したが、これに限らない。即ち、本発明を、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等の携帯端末に適用してもよい。
【符号の説明】
【００７６】
１  携帯電話機（携帯端末）
２  操作部側筐体（第１筐体）
３  表示部側筐体（第２筐体）
４  連結部
２２  レシーバ（第２電子部品）
３１  第１導電部
３２  第１回路部
３３  第２導電部
３４  第３導電部
３５  グランド部
３６  給電部
３７  信号処理部
４２  第１抑制部
４３  第２抑制部
５１  第１選択部
５２  第２選択部
６１  アンテナ素子（第１電子部品）
Ｘ１  第１長さ
Ｘ２  第２長さ
ｆ１  第１の周波数
ｆ２  第２の周波数
【図１】
2010123092.tif 000003
【図２】
2010123092.tif 000004
【図３】
2010123092.tif 000005
【図４】
2010123092.tif 000006
【図５】
2010123092.tif 000007
【図６】
2010123092.tif 000008
【図７】
2010123092.tif 000009
【国際調査報告】
2010123092.tif 000010
2010123092.tif 000011
2010123092.tif 000012
2010123092.tif 000013